(57)【特許請求の範囲】
【請求項１】
印刷用紙本体と、前記印刷用紙本体の裏面に塗布された粘着剤を介し、前記印刷用紙本体に貼着された剥離紙とを有する印刷用紙において、
前記粘着剤を塗布された糊面が、前記印刷用紙本体の外周縁部および前記剥離紙の外周縁部よりも内側に設けられるとともに、
前記剥離紙の外形寸法が、前記印刷用紙本体の外形寸法よりも小さいことを特徴とする印刷用紙。
【請求項２】
前記印刷用紙本体の少なくとも１つの角部に角側切欠き部を設けたことを特徴とする請求項１に記載の印刷用紙。
【請求項３】
前記印刷用紙本体を分割する線上の少なくともいずれか一端に、縁側切欠き部を設けたことを特徴とする請求項１または２に記載の印刷用紙。
【請求項４】
前記印刷用紙本体がＡ３寸法であることを特徴とする請求項１ないし３のいずれか１項に記載の印刷用紙。
【請求項５】
前記印刷用紙本体を分割する線を間にして対向するように、前記糊面の境界線を設けたことを特徴とする請求項３または４に記載の印刷用紙。
【請求項６】
印刷用紙本体と、前記印刷用紙本体の裏面に塗布された粘着剤を介し、前記印刷用紙本体に貼着された剥離紙とを有する印刷用紙の製造方法において、
前記印刷用紙本体の裏面のうち、前記印刷用紙本体の外周縁部および前記剥離紙の外周縁部よりも内側に設けられた糊面に、前記粘着剤を塗布した後、前記印刷用紙本体の外形寸法よりも小さい外形寸法を有する剥離紙を、貼着することを特徴とする印刷用紙の製造方法。
【発明の詳細な説明】
【技術分野】
【０００１】
本発明は印刷用紙、例えば、デジタル・プリンタなどで印刷される印刷用紙およびその製造方法に関する。
【背景技術】
【０００２】
従来、印刷用紙としては、印刷用紙本体の裏面に塗布した粘着剤を介し、剥離紙を剥離可能に貼着一体化したものがある。このような印刷用紙として、例えば、特許文献１において、剥離紙の端縁を印刷用紙本体の端縁よりも外側に突出させて拡張部を設けた印刷用紙が記載されている。拡張部を設けることで、印刷用紙の印字過程で印刷用紙本体の端縁から粘着剤がはみ出しても、はみ出した粘着剤がプリンタ内部に付着することを防止している。
【先行技術文献】
【特許文献】
【０００３】
【特許文献１】特開平１０−２３２６１５号公報
【０００４】
しかし、前記印刷用紙では、剥離紙の端縁からはみ出した粘着剤が、プリンタ内部に付着するという問題があった。
【発明の概要】
【発明が解決しようとする課題】
【０００５】
本発明は、前記従来の問題点に鑑みてなされたもので、印刷用紙の印字過程で印刷用紙本体および剥離紙から粘着剤がはみ出すことがなく、粘着剤がプリンタ内部に付着することを防止できる印刷用紙、および、その製造方法を提供することを課題とする。
【課題を解決するための手段】
【０００６】
前記課題を解決するため、本発明に係る印刷用紙は、
印刷用紙本体と、前記印刷用紙本体の裏面に塗布された粘着剤を介し、前記印刷用紙本体に貼着された剥離紙とを有する印刷用紙において、
前記粘着剤を塗布された糊面が、前記印刷用紙本体の外周縁部および前記剥離紙の外周縁部よりも内側に設けられるとともに、
前記剥離紙の外形寸法が、前記印刷用紙本体の外形寸法よりも小さいものである。
【発明の効果】
【０００７】
上記構成により、印刷用紙本体に図柄などを印字する際に、粘着剤が印刷用紙本体と剥離紙との外周縁部からはみ出し、プリンタ内部に付着するのを防止できる。
また、印刷用紙本体に剥離紙を貼着した際に、剥離紙が印刷用紙本体からはみ出すのを防止できる。
【０００８】
前記印刷用紙本体の少なくとも１つの角部に角側切欠き部を設けてもよい。
これにより、角側切欠き部を摘んで剥離紙から印刷用紙本体を容易に剥離できる。
【０００９】
前記印刷用紙本体を分割する線上の少なくともいずれか一端に、縁側切欠き部を設けてもよい。
これにより、印刷用紙を分割する線に沿って２分割した後、それぞれの印刷用紙本体を角側切欠き部または縁側切欠き部を摘んで剥離紙から容易に剥離できる。
【００１０】
前記印刷用紙がＡ３寸法であってもよい。
これにより、印刷用紙を分割する線に沿って２分割した後、Ａ４寸法の印刷用紙として使用できる。
【００１１】
前記印刷用紙本体を分割する線を間にして対向するように、前記糊面の境界線を設けてもよい。
これにより、印刷用紙を分割する線に沿って２分割した後、それぞれの印刷用紙本体および剥離紙の外周縁部よりも内側に糊面の境界線が位置する。従って、印刷用紙本体に図柄などを印字したり、その後の加工をする際に、粘着剤が印刷用紙本体と剥離紙との縁部からはみ出し、プリンタ内部に付着するのを防止できる。
【００１２】
本発明に係る印刷用紙の製造方法は、
印刷用紙本体と、前記印刷用紙本体の裏面に塗布された粘着剤を介し、前記印刷用紙本体に貼着された剥離紙とを有する印刷用紙の製造方法において、
前記印刷用紙本体の裏面のうち、前記印刷用紙本体の外周縁部および前記剥離紙の外周縁部よりも内側に設けられた糊面に、前記粘着剤を塗布した後、前記印刷用紙本体の外形寸法よりも小さい外形寸法を有する剥離紙を、貼着する工程からなるものである。
本発明によれば、印刷用紙本体に図柄などを印字する際に、粘着剤が印刷用紙本体と剥離紙との外周縁部からはみ出し、プリンタ内部に付着するのを防止できる印刷用紙が得られる。
また、印刷用紙本体に剥離紙を貼着した際に、剥離紙が印刷用紙本体からはみ出すのを防止できる印刷用紙が得られるという効果がある。
【図面の簡単な説明】
【００１３】
【図１】（Ａ）は本発明の第１実施形態に係る印刷用紙であって、剥離紙から印刷用紙本体を部分的に剥離した状態を示す正面図、（Ｂ）は（Ａ）の角側切欠き部の部分拡大正面図、（Ｃ）は（Ａ）の縁側切欠き部の部分拡大正面図。
【図２】図１の印刷用紙の部分拡大側面図。
【図３】（Ａ）は図１の印刷用紙本体の正面図、（Ｂ）は（Ａ）の角側切欠き部の部分拡大正面図、（Ｃ）は（Ａ）の縁側切欠き部の部分拡大正面図。
【図４】図３の印刷用紙本体の裏面に設けられた糊面を示す正面図。
【図５】図１の剥離紙の正面図。
【図６】（Ａ）は図柄が印字された印刷用紙の正面図、（Ｂ）は（Ａ）の印刷用紙を２分割した後の印刷用紙の正面図、（Ｃ）は（Ｂ）の印刷用紙に切込み線を入れた正面図。
【図７】（Ａ）は２分割した後の印刷用紙において、印刷部を残して剥離紙から不要な印刷用紙本体を部分的に剥離している状態を示す正面図、（Ｂ）は剥離紙から印刷部を剥離している状態を示す正面図。
【図８】（Ａ）は本発明の第２実施形態に係る印刷用紙の印刷用紙本体と剥離紙との関係を示す正面図、（Ｂ）は（Ａ）の切欠き部の部分拡大正面図。
【図９】図８の印刷用紙本体の裏面に設けられた糊面を示す正面図。
【発明を実施するための形態】
【００１４】
本発明に係る印刷用紙１０の実施形態を、図１ないし図９に従って説明する。
第１実施形態の印刷用紙１０は、図１に示すように、プリンタなどで図柄が印字される印刷用紙本体１１と、前記印刷用紙本体１１の裏面に粘着剤２１により貼着される剥離紙３１とを有している。
【００１５】
印刷用紙本体１１は、図３（Ａ）に示すように、Ａ３サイズの長方形であり、具体的には、縦寸法が２９７ｍｍ、横寸法は４２０ｍｍである。印刷用紙本体１１の隣り合う２カ所の角部には、角側切欠き部１３（図３（Ｂ）参照）が形成されている。また、印刷用紙本体１１の対向縁部の中央には、三角形に切り欠かれた縁側切欠き部１４（図３（Ｃ）参照）が形成されている。更に、印刷用紙本体１１の中央には、上方の縁側切欠き部１４から下方の縁側切欠き部１４に向かって、印刷用紙本体１１を分割する線として１１６が設けられている。
【００１６】
なお、本実施形態ではＡ３サイズの印刷用紙本体１１を用いたが、これに限定されず、例えば、Ａ４，Ｂ５など種々のサイズを採用し得る。また、角側，縁側切欠き部１３，１４を４ヶ所に設けたがこれに限定されず、角側切欠き部１３を上下いずれか１カ所に設け、更に縁側切欠き部１４を上下いずれか１カ所に設ける構成を採用してもよい。更に、角側切欠き部１３および縁側切欠き部１４の形状は、特に限定されない。本実施形態では、角側切欠き部１３および縁側切欠き部１４を形成するため、印刷用紙本体１１を縦方向および横方向にそれぞれ、７．０ｍｍを切欠いたが、これに限定されず、３ｍｍから１０ｍｍの間で切欠いてもよい。切欠く寸法が３ｍｍよりも小さいと、印刷用紙本体１１を摘んで剥離紙３１から剥離する作業がやりにくく、１０ｍｍよりも大きいと、印刷用紙１０に印字する際に、印刷用紙１０の隅々まで有効に使えないからである。また、印刷用紙本体１１を分割する線として、本実施形態ではミシン目１６を設けたが、ミシン目１６を設けず、他の方法で印刷用紙本体１１を分割してもよい。
【００１７】
印刷用紙本体１１として、本実施形態ではコート紙を採用するが、これに限定されない。例えばアート紙を含むその他のコート紙、上質紙、これらを用いたキャストコート紙、またはポリエステルなどを素材とするフィルム系素材あってもよい。
【００１８】
粘着剤２１は、図４に示すように、印刷用紙本体１１の裏面の糊面（散点状で図示した領域）２２に塗布される。この糊面２２は、印刷用紙本体１１の４辺と、角側切欠き部１３および縁側切欠き部１４とから内側に２ｍｍの間隔を設けた領域内に設けられている。また、糊面２２は、印刷用紙本体１１を２分割するミシン目１６を間にして対向する境界線２４を境にして、印刷用紙本体１１の左右２カ所に区分けされている。境界線２４，２４は、４ｍｍの間隔を隔てて設けられている。なお、本実施形態では、糊面２２が印刷用紙本体１１の外周縁部から２ｍｍ内側に設けられているが、これに限定されず、１ｍｍないし３ｍｍだけ内側に設けてもよい。１ｍｍよりも小さいと、印刷用紙本体１１への剥離紙３１の貼り合わせの作業性が低下するからであり、３ｍｍよりも大きいと、ラベルなど印字領域の有効範囲が狭くなるからである。
【００１９】
粘着剤２１としては、印刷用紙本体１１と剥離紙３１とを強貼着する場合には、ＴＮ−５３０Ｚ（株式会社MORESCO製）、弱貼着する場合には、ＬＴ−２００、ＰＢ−３０（株式会社MORESCO製）を採用する。しかし、印刷用紙本体１１と剥離紙３１とを剥離可能に貼着一体化できればよく、これらに限定されないのは勿論である。ここで、強粘着とは、例えば後述するラベルを段ボールに貼り付けた後、剥がそうとするとラベルまたは段ボールが破れる程度の粘着強さをいう。一方、弱粘着とは、例えば、ラベルを段ボールに貼り付けた後、ラベルまたは段ボールを破らずに剥がすことができる程度の粘着強さをいう。
【００２０】
剥離紙３１は、図５に示すように、略Ａ３サイズの長方形であり、具体的には、縦寸法が２９５．８ｍｍ、横寸法は４１８ｍｍである。また、剥離紙３１は表面にシリコンが塗布されている。剥離紙３１の外形寸法は、印刷用紙本体１１の外形寸法よりも小さいので、印刷用紙本体１１に剥離紙３１を貼着した際に、剥離紙３１が印刷用紙本体１１からはみ出すのを防止できる。一方、剥離紙３１の外周縁部よりも１．４ｍｍ内側に、粘着剤２１の境界線２４が位置する（図２参照）。ただし、１．４ｍｍに限定されず、剥離紙３１の外周縁部よりも０．５ｍｍないし２ｍｍだけ内側に、粘着剤２１の境界線２４が位置してもよい。０．５ｍｍよりも小さいと、剥離紙３１の貼り合わせの作業性が低下し、２ｍｍよりも大きいと、印字領域の有効範囲が狭くなるからである。
【００２１】
次に、印刷用紙１０の製造方法について説明する。
まず、印刷用紙本体１１の糊面２２に粘着剤２１を塗布する。そして、粘着剤２１を塗布した印刷用紙本体１１の裏面に剥離紙３１を貼着する（図１（Ａ）参照）。このとき、図１（Ｂ）および（Ｃ）に示すように、剥離紙３１は、印刷用紙本体１１の縦辺から１ｍｍ、横辺から０．６ｍｍ、内側に貼着する。そして、剥離紙３１は、角側切欠き部１３および縁側切欠き部１４から露出している。図２に示すように、印刷用紙１０が完成した状態では、粘着剤２１が、印刷用紙本体１１の横辺から内側に２．０ｍｍの間隔を空けて塗布されている。また、剥離紙３１は印刷用紙本体１１の横辺から０．６ｍｍだけ内側に貼着一体化されている。従って、粘着剤２１が、印刷用紙本体１１の外周縁部および剥離紙３１の外周縁部より内側に塗布されている。このため、印刷用紙本体１１に図柄などを印字する際に、粘着剤２１が印刷用紙本体１１と剥離紙３１との外周縁部からはみ出し、プリンタ内部に付着することを防止できる。
【００２２】
次に、印刷用紙１０の使用方法について説明する。
図６（Ａ）に示すように、印刷用紙本体１１の所定の領域に印刷部１７を所定のピッチで印刷し、ミシン目１６に沿って全体を２分割する（図６（Ｂ）参照）。このとき、ミシン目１６の両側に糊面２２の境界線２４を設けているので、印刷用紙１０をミシン目１６に沿って２分割した後、それぞれの印刷用紙本体１１および剥離紙３１の外周縁部よりも内側に糊面２２の境界線２４が位置する。従って、印刷用紙本体１１に図柄などを印字する際に、粘着剤２１が印刷用紙本体１１と剥離紙３１との縁部からはみ出し、プリンタ内部に付着するのを防止できる。
【００２３】
図６（Ｃ）に示すように、前記印刷部１７を囲むように印刷用紙本体１１だけに切込み線１８を入れる。そして、切込み線１８内の印刷部１７を除いた除去部１９を、角側切欠き部１３または縁側切欠き部１４から摘んで、剥離紙３１から剥離して除去する（図７（Ａ）参照）。さらに、残存する印刷部１７を剥離紙３１から剥離し（図７（Ｂ）参照）、ラベルとして包装容器の表面に貼着一体化する。なお、切込み線１８は必ずしも楕円形である必要はなく、例えば、三角形、長方形、円形等であってもよいことは勿論である。
【００２４】
第２実施形態は、図８（Ａ）および図８（Ｂ）に示すように、印刷用紙本体４１の対向する縁部中央に三角形の縁側切欠き部４２を設けたものである。上方の縁側切欠き部４２から下方の縁側切欠き部４２に向かってミシン目４３が形成されている。また、縁側切欠き部４２からは、剥離紙４５が露出している。この印刷用紙本体４１の裏面に形成された糊面４４は、図９に示すように、印刷用紙本体４１の４辺および縁側切欠き部４２の外周縁部から内側に２ｍｍの間隔を設けた領域内に設けられている。同一部分には同一番号を付して説明を省略する。
【符号の説明】
【００２５】
１０  印刷用紙
１１  印刷用紙本体
１３  角側切欠き部
１４  縁側切欠き部
１６  ミシン目
２１  粘着剤
２２  糊面
２４  境界線
３１  剥離紙
４１  印刷用紙本体
４２  縁側切欠き部
４３  ミシン目（印刷用紙本体を分割する線）
４４  糊面
４５  剥離紙
【図１】
0006017140.tif 000002
【図２】
0006017140.tif 000003
【図３】
0006017140.tif 000004
【図４】
0006017140.tif 000005
【図５】
0006017140.tif 000006
【図６】
0006017140.tif 000007
【図７】
0006017140.tif 000008
【図８】
0006017140.tif 000009
【図９】
0006017140.tif 000010